(57)【要約】【課題】  ロータリカバーの後端部のリヤカバーは、取付構成が煩雑であり、このリヤカバーの上下回動によってこれらカバー軸の下側部を被覆するゴムシートは段部を生じ易く、このゴムシート部にシート接合部があると耕耘土壌による摩擦抵抗を受けて、剥離し易く、このゴムシート部が強い土壌抵抗を受けて、損傷し、破損穴等を生しで、カバー軸部への土壌の飛散、付着が行われ易くなる。【解決手段】  合成樹脂シート１を張付形成するロータリカバー２の後端部に、このロータリカバー２の後端縁方向に沿うカバー軸３の周りに上下回動可能のリヤカバー４を設けると共に、このリヤカバー４の下面に沿って敷設のゴムシート５の前部を一枚状に延長して上下に屈曲自在のフロントシート部６を形成し、このフロントシート部６の前端縁部を前記ロータリカバー２の後端下面の合成樹脂シートカバー１下面に重合して取付連結する。【選択図】  図１
2010124771.tif 000002
【特許請求の範囲】
【請求項１】
合成樹脂シート（１）を張付形成するロータリカバー（２）の後端部に、このロータリカバー（２）の後端縁方向に沿うカバー軸（３）の周りに上下回動可能のリヤカバー（４）を設けると共に、このリヤカバー（４）の下面に沿って敷設のゴムシート（５）の前部を一枚状に延長して上下に屈曲自在のフロントシート部（６）を形成し、このフロントシート部６の前端縁部を前記ロータリカバー（２）の後端下面の合成樹脂シートカバー（１）下面に重合して取付連結したことを特徴とするロータリ耕耘カバー。
【発明の詳細な説明】
【技術分野】
【０００１】
この発明は、ロータリ耕耘爪の回転上周部を覆うロータリ耕耘カバーに関し、このロータリカバーに対するリヤカバーの連設部上面への泥土飛散を防止するゴムシートを形成するものである。
【背景技術】
【０００２】
ロータリカバーとリヤカバーとの連設部間のカバー軸部の下側を覆うゴムシートを設ける技術（例えば、特許分献１参照）が知られている。
【特許文献１】特開２００５ー３４１８４７号公報（第５頁、図１）。
【発明の開示】
【発明が解決しようとする課題】
【０００３】
ロータリカバーの後端部に、カバー軸によって上下回動可能に取付けるリヤカバーは、取付構成が煩雑であり、このリヤカバーの上下回動によってこれらカバー軸の下側部を被覆するゴムシートは段部を生じ易く、このゴムシート部にシート接合部があると耕耘土壌による摩擦抵抗を受けて、剥離し易く、このゴムシート部が強い土壌抵抗を受けて、損傷し、破損穴等を生しで、カバー軸部への土壌の飛散、付着が行われ易くなる。
【課題を解決するための手段】
【０００４】
請求項１に記載の発明は、合成樹脂シート１を張付形成するロータリカバー２の後端部に、このロータリカバー２の後端縁方向に沿うカバー軸３の周りに上下回動可能のリヤカバー４を設けると共に、このリヤカバー４の下面に沿って敷設のゴムシート５の前部を一枚状に延長して上下に屈曲自在のフロントシート部６を形成し、このフロントシート部６の前端縁部を前記ロータリカバー２の後端下面の合成樹脂シートカバー１下面に重合して取付連結したことを特徴とするロータリ耕耘カバーの構成とする。耕耘の回転によって耕耘される土壌が後部下方から上方へ向けて掻き飛ばされる。この耕耘土壌は後上部のリヤカバー４のゴムシート５に受けられて緩衝されながら耕耘跡側の耕耘土壌面に落ちて、このリヤカバー４の後下端鎮圧部２０で鎮圧される。この耕耘された一部の耕耘土壌は、このゴムシート５の下面に沿ってフロントシート部６、及びロータリカバー２の合成樹脂シート１部等にわたって案内されるが、これらゴムシート５は、フロントシート部６にわたって一連の一枚状形態のシートに形成されているために、リヤカバー４をカバー軸３周りに上下に回動しても、フロントシート部６に屈曲による大きい段部を生じ難く、ゴムシートの接合部を形成しないため、摺接土壌による摩擦抵抗を受けても、この付き回り耕耘土壌を円滑に摺動案内させて、フロントシート部６の、接合部めくれや、剥離等を無くして、耕耘土壌の飛散による摩擦抵抗を少くする。又、このフロントシート部６の前端縁を、ロータリカバー２の合成樹脂シート１の下面に重合させて取付連結するため、構成が簡潔的であり、耕耘土壌の摺動案内を円滑に行わせる。
【発明の効果】
【０００５】
請求項１に記載の発明は、ロータリカバー２とリヤカバー４との間のカバー軸３部を被覆するフロントシート部６を、このリヤカバー４に取付形成するゴムシート５の前方一枚状延長部によって構成するため、このフロントシート部６の構成、及び取付を簡単、容易にすることができ、このフロントシート部６の継目を形成しないで、耕耘土壌の飛散を受けても摺接抵抗を少くして円滑に案内することができ、このフロントシート部６の損傷、破損を少くして、耐久性を高めることができると共に、カバー軸３部への土壌の飛散、付着を無くして、リヤカバー４の上下動、鎮圧作用を円滑に行わせることができる。
【発明を実施するための最良の形態】
【０００６】
図面に基づいて、トラクタの後部に装着するロータリ耕耘装置７は、リフトアームによって昇降されるリフトリンク機構のトップリンクや、ロアリンク等を介して取付けられる。このリフトリンキ機構に取り付けるためのリンクヒッチピン８、９を有したマスト１０や、ブラケット１１と一体構成とする入力伝動ケース１２の下方に、耕耘軸１３を軸装の耕耘ケース１４を形成し、この入力伝動ケース１２の前側に設けた入力軸１５から伝動軸１６を正回転Ａ、又は逆回転にギヤ伝動し、この伝動軸１６から耕耘軸１３をチエン伝動する連動構成である。耕耘軸１３は、耕耘幅の中央部の耕耘ケース１４から左右両側部に突出させて軸装したセンタドライブ形態としているが、この耕耘ケースを一側端に位置させて、耕耘軸１３の左右両側端部を軸受けして駆動するサイドドライブ形態とすることも可能である。この耕耘軸１３の周りには耕耘爪１７を配設し、この耕耘爪１７を正回転Ａ、又は逆回転に駆動して耕耘作用を行わせることができる。
【０００７】
耕耘爪１７の回転上周面を覆うロータリカバー２は、板金製によって円弧状に形成して耕耘ケース１４に取付ける。このロータリカバー２は耕耘ケース１４に対して前記耕耘軸１３部の周りに前後回動調節可能に構成している。このロータリカバー２の下面に沿って合成樹脂製のシート（ボード、パネル、乃至マット材等に形成することも可能）１を張付けてビス１８、１９止めによって一体的に取付ける。
【０００８】
このロータリカバー２の後端部上に横方向のカバー軸３を設け、このカバー軸３の周りに上下回動可能のリヤカバー４を取付敷設する。このリヤカバー４の後端部には鎮圧部２０を形成して耕耘土壌面を鎮圧して均平することができる。このリヤカバー４の下側面に沿って、ゴム製のシート（ボード、パネル、乃至マット材等に形成することも可能）５をビス２１、２２止めによって取付敷設する。このゴムシート５は、リヤカバー４の下面との間に適宜の間隔部２３を形成して、ゴムシート５が弾性によって振動、乃至歪み易い形態に構成している。このため、、各ビス２１、２２の嵌挿部は、ゴムシート５をリヤカバー４面側へ凹ませて、この凹部２４に押え板３３や、ビス２１、２２部を嵌合させている。
【０００９】
ここにおいて、合成樹脂シート１を張付形成するロータリカバー２の後端部に、このロータリカバー２の後端縁方向に沿うカバー軸３の周りに上下回動可能のリヤカバー４を設けると共に、このリヤカバー４の下面に沿って敷設のゴムシート５の前部を一枚状に延長して上下に屈曲自在のフロントシート部６を形成し、このフロントシート部６の前端縁部を前記ロータリカバー２の後端下面の合成樹脂シートカバー１下面に重合して取付連結する。
【００１０】
耕耘軸１３、及び耕耘爪１７の回転によって耕耘される土壌が後部下方から上方へ向けて掻き飛ばされる。この耕耘土壌は後上部のリヤカバー４のゴムシート５に受けられて緩衝されながら耕耘跡の土壌面に落ちて、このリヤカバー４の後下端の鎮圧部２０で鎮圧される。この耕耘された一部の耕耘土壌は、このゴムシート５の下面に沿ってフロントシート部６、及びロータリカバー２の合成樹脂シート１部等にわたって案内されるが、これらゴムシート５は、フロントシート部６にわたって一連の一枚状形成のシートに形成されているために、リヤカバー４をカバー軸３周りに上下に回動しても、フロントシート部６に屈曲による大きい段部を生じ難く、耕耘土壌の飛散抵抗を少くする。又、このフロントシート部６の前端縁を、ロータリカバー２の合成樹脂シート１の下面に重合させて取付連結するため、構成が簡潔的であり、耕耘土壌の摺接案内を円滑に行わせる。
【００１１】
前記ゴムシート５は、前端部をロータリカバー２側へ長く延長させた形態としてフロントシート部６を形成して、継目を形成しない形態としている。このゴムシート５のカバー軸３の近傍部において、前記ビス２１によってリヤカバー４に取付け、前方へ張出するフロントシート部６を、このロータリカバー２の後端縁とリヤカバー４の前端縁との間のカバー間隔部２５、及び、このカバー間隔部２５上に位置するカバー軸３部の下側を被覆する形態に設けて、このフロントシート部６の前端縁を、ロータリカバー２後端の合成樹脂シート１の下面に重合させて取付けて連結する。
【００１２】
前記ロータリカバー２の後端上面は、ブラケット２６を有して、この後端部にリヤカバー４のカバー軸３を支持し、この上部の支持軸２７と、リヤカバー４後部ブラケット２９の支持軸２８との間には、スプリングダンパーを設けて、ロータリカバー２に対してリヤカバー４を下方へ弾発して鎮圧力を維持させる。前記ロータリカバー２下面の合成樹脂シート１の後端縁部は、前記ビス１９によってこのブラケット２６に対して取付けられる。そして、前記リヤカバー４側から張出されるフロントシート部６の前端縁をこのビス１９による取付部に重合させて、押え板３０を介在させてビス３１止めによって締付けて取付ける。これらビス１９による締付位置Ｂと、３１による締付位置Ｃは横方向に異なる位置に設定している。このフロントシート部６の前記ビス１９位置には、このビス１９のビス頭部の嵌合するシート穴３２を形成し、このシート穴３２部に押え板３０を重合させている。このようにして、ビス３１によってロータリカバー２部に取付け連結されるフロントシート部６は、適宜緩みを形成して、リヤカバー４の上下回動を円滑に行わせると共に、このリヤカバー４を上方へ大きく回動させて、ロータリ耕耘爪１７部の後側を大きく開放することができる。
【００１３】
耕耘爪１７の正回転Ａするときは、耕耘土壌が後方上方へ飛散されて、上側のリヤカバー４部のゴムシート５部で受けて、下方へ落下され、この耕耘土壌面をこのリヤカバー４の後端部の鎮圧部２０で鎮圧して均平される。この耕耘時の一部の土壌は耕耘爪１７の回転Ａ方向へ飛散、付回りされて、前記リヤカバー４の下側部からカバー間隔部２５の下側を経てロータリカバー２の下側部へ付回りされる。このときリヤカバー４の下側部のゴムシート５部では、耕耘土壌の飛散衝突を受けて振動、乃至歪みを受けて、土壌の付着を防止して、土壌の離脱、落下を促進、維持する。又、このゴムシート５面からフロントシート部６へ向けて飛散、乃至案内される耕耘土壌は、この一枚板状の形成によって、ゴムシート５の継目や、接合段部が形成されないため、耕耘土壌の滑りが円滑に行われて、耕耘土壌の引っ掛り抵抗を少くして、接合部のめくれや、破損等をなくして、このフロントシート部６からの離脱落下を円滑に行わせることができる。このように、フロントシート部６を経てロータリカバー２部へ飛散される耕耘土壌部は、この合成樹脂シート１面に沿って案内されて、付着し難く、落下される。
【００１４】
このような耕耘作用時は、リヤカバー４を耕耘深さの変動等によって上下に回動させることができるが、カバー軸３部に対する耕耘土壌の付着を阻止するため、リヤカバー４の円滑な回動を行わせることができる。
【図面の簡単な説明】
【００１５】
【図１】ロータリ耕耘カバー部の側面図。
【図２】そのロータリカバー部のフロントシート部取付状態を示す側面図。
【図３】その一部の分解斜視図と、取付ビス部の取付状態を示す断面図。
【符号の説明】
【００１６】
１        合成樹脂シート
２        ロータリカバー
３        カバー軸
４        リヤカバー
５        ゴムシート
６        フロントシート部
【図１】
2010124771.tif 000003
【図２】
2010124771.tif 000004
【図３】
2010124771.tif 000005